(57)【要約】【課題】従来のこの種のＤＣブラシレスモ−タは、ステ−タを一体モ−ルド成形されたステ−タ完成体とロ−タ完成体とを有し、出力軸側のベアリングＡは、ブラケットＡに支持されステ−タ完成に固定され、ステ−タ完成体には、駆動ＩＣを搭載したプリント基板が取り付けられている。そして駆動用ＩＣの放熱部とブラケットＢとの間には放熱シリコンが塗布され駆動用ＩＣの熱が放熱シリコンを通しブラケットＢより放熱されている。前記従来の構成では、さらに高出力が必要な時、ブラケットＢの形状を大きくできないため高出力化できないという課題を有していた。【解決手段】反負荷側のブラケットＢ５に高熱伝導率の非鉄系材で構成された放熱板１２を取付け、出力に応じ放熱板の大きさを自由に変えられる構造とする。放熱板１２の形状を規則的または、不規則的な凹凸状にすることにより、より放熱効果が向上する。【選択図】図１
2007006603.tif 000002
【特許請求の範囲】
【請求項１】
ベアリングを介して回転自由に保持されたロータと、前記ベアリングを保持するブラケット部と、モールド成形により得られたステータ及びモ−タ内部に駆動回路を有するＤＣブラシレスモータであって、前記反負荷側のブラケットに高熱伝導率の非鉄系材で構成された放熱板を取付ける構造としたことを特徴とするＤＣブラシレスモータ。
【請求項２】
放熱板をＤＣブラシレスモ−タの外形より大きくしたことを特徴とする請求項１記載のＤＣブラシレスモータ。
【請求項３】
放熱板をアルミニュウム材で構成した請求項１記載のＤＣブラシレスモータ。
【請求項４】
放熱板をアルミニュウム材で構成するとともに、放熱板を規則的または、不規則的な凹凸状に構成しモ−タの出力に応じ放熱板の大きさを自由に変えられる構造としたことを特徴とする請求項１記載のＤＣブラシレスモータ。
【請求項５】
請求項１〜４のいずれか１項に記載のＤＣブラシレスモータを用いた空気調和機用ファンモータ。
【発明の詳細な説明】
【技術分野】
【０００１】
本発明は、ＤＣブラシレスモ−タに関するものである。
【背景技術】
【０００２】
従来のこの種のＤＣブラシレスモ−タは、図４に示すように、ステ−タ１０１を一体モ−ルド成形されたステ−タ完成体１０２に、磁石１０３、ロ−タ１０４、シャフト１０５、ベアリングＡ１０６、ベアリングＢ１０７からなるロ−タ完成体とを有する（例えば、非特許文献１参照）。
【０００３】
出力軸側のベアリングＡ１０６は、ブラケットＡ１０８に支持されステ−タ完成体１０２に固定されている。また、ステ−タ完成体１０２には、駆動ＩＣ１０９を搭載したプリント基板１１０が取付けられている。反出力軸側のベアリングＢ１０６は、ブラケットＢ１１１に支持され、ステータ完成体１０２に固定されて一体化されている。
【０００４】
駆動用ＩＣ１０９の放熱部とブラケットＢ１１１との間には放熱シリコン１１２が塗布され駆動用ＩＣ１０９の熱が放熱シリコン１１２を通しブラケットＢ１１１より放熱されている。
【非特許文献１】エアコンガイドブック・平成１６年度版，松下電器産業（株）
【発明の開示】
【発明が解決しようとする課題】
【０００５】
しかしながら上記のような構成では、モータの出力の限界は駆動用ＩＣ１０９の温度上昇により制限されており、ブラケットＢ１１１の放熱効果により決まっている。さらに高出力が必要な時、ブラケットＢ１１１の形状を大きくできないため高出力化できないという課題を有していた。
【０００６】
本発明は、前記従来の課題を解決するもので、反負荷側のブラケットＢに高熱伝導率の非鉄系材で構成された放熱板を取付ける構造とすることにより、簡易な構成で安価、かつ冷却性能を向上させ高出力化を可能としたＤＣブラシレスモータを提供することを目的とする。
【課題を解決するための手段】
【０００７】
前記従来の課題を解決するために、本発明のＤＣブラシレスモ−タは、ベアリングＡ、Ｂを介して回転自由に保持されたロータと、前記ベアリングＡ、Ｂを保持するブラケットＡ、Ｂと、モールド成形により得られたステータ及びモ−タ内部に駆動回路を有するＤＣブラシレスモータであって、前記反負荷側のブラケットＢに高熱伝導率の非鉄系材で構成された放熱板を取付け出力に応じ放熱板の大きさを自由に変えられる構造とする。また、放熱板の形状を規則的または、不規則的な凹凸状にすることにより、より放熱効果が向上し高出力化が可能となる。
【発明の効果】
【０００８】
本発明のＤＣブラシレスモータは、反負荷側のブラケットＢに高熱伝導率の非鉄系材で構成された放熱板を取り付け出力に応じ放熱板の大きさを自由に変えられる構造とすることにより簡易な構成で安価、かつ冷却性能を向上させることができる。また、放熱板の形状を規則的または、不規則的な凹凸状にすることにより、より放熱効果が向上する。
【発明を実施するための最良の形態】
【０００９】
第１の発明は、ベアリングＡ，Ｂを介して回転自由に保持されたロータと、前記ベアリングＡ、Ｂを保持するハウジングＡ，Ｂと、モールド成形により得られたステータ及びモ−タ内部に駆動回路を有するＤＣブラシレスモータであって、前記反負荷側のブラケットに高熱伝導率の非鉄系材で構成された放熱板を取付ける構造とする。放熱板を反負荷側のブラケットＢに取付けることにより放熱効果が向上し高出力化が可能となる。
【００１０】
第２の発明は、放熱板をＤＣブラシレスモ−タの外形より大きくすることにより、放熱面積が増え放熱効果が向上する。
【００１１】
第３の発明は、放熱板をアルミニュウムで構成することにより、放熱効果が向上する。
【００１２】
第４の発明は、放熱板をアルミニュウムで構成するとともに、放熱板を規則的または、不規則的な凹凸状に構成しモ−タの出力に応じ放熱板の大きさを自由に変えられる構造とすることにより、簡易な構成で安価、かつ冷却性能を向上させることができる。
【００１３】
第５の発明は、上記１〜４の発明のＤＣブラスレスモ−タを空気調和機の室外機に使用されるのが好ましい。空気調和機の室外機は、冷房運転時熱交換器により高温となり送風ファンによりＤＣブラシレスモ−タに高温の風があたり、ＤＣブラシレスモ−タ内の駆動ＩＣの温度が上昇する。反負荷側のブラケットに放熱板を取付けることにより放熱面積が増え内部駆動ＩＣの温度を下げることができる。
【００１４】
以下、本発明の実施の形態について、図面を参照しながら説明する。なお、この実施の形態によって本発明が限定されるものではない。
【００１５】
（実施の形態１）
図１に本実施の形態のＤＣブラシレスモータの一部断面図を示す。
【００１６】
本実体の形態のＤＣブラシレスモータは、ロ−タ１と、磁石２、シャフト３、ベアリングＡ４、ベアリングＢ５からなるロータ完成体を有する。ステ−タ完成体６には、駆動ＩＣ７を搭載したプリント基板８が取付けられている。出力軸側のベアリングＡ４は、ブラケットＡ９によりステ−タ完成体６に固定され、反出力側のベアリングＢ５はブラケットＢ１０によりステ−タ完成体６に固定されている。
【００１７】
駆動ＩＣ７の放熱板とブラケットＢ１０との間に放熱シリコン１１が塗布され駆動ＩＣ７の熱が放熱シリコンＡ１１を通しブラケットＢ１０より放熱されている。反出力側のブラケットＢ１０にφ９２、厚み５ｍｍの高熱伝導率の非金属で構成された放熱板１２を反出力側のブラケットＢ１０に取付けることにより、放熱面積が増えブラケットＢ１０の熱を放熱することができる。また、ブラケットＢ１０と放熱板１２の間に放熱シリコンＢ１３等を塗布するとより、放熱効果が向上する。
【００１８】
（実施の形態２）
図２に本実施の形態のＤＣブラシレスモータの一部断面図を示す。
【００１９】
本実施の形態は、上記の実施の形態１と放熱板の形状おいて相違し、その他の点では実施形態１と同様である。
本実体の形態は、図２のように放熱板１２ａをＤＣブラスレスモ−タの外形より大きくする。例えばＤＣブラシレスモ−タの外形がφ９２ｍｍであれば放熱板１２ａの外形をφ１００ｍｍとする。放熱板１２ａを外形より大きくすることにより、放熱板１２ａに風があたる面積が増え放熱効果が向上しモ−タの仕様および形状を変更することなく高出力化が可能となる。
【００２０】
（実施の形態３）
放熱板をアルミニュウム材にすることにより安価な構成により放熱効果が向上し、モ−タの仕様および形状を変更することなく高出力化が可能となる。
【００２１】
（実施の形態４）
本実施の形態は、上記の実施の形態１と放熱板の形状おいて相違し、その他の点では実施形態１と同様である。
【００２２】
図３にＤＣブラシレスモ−タの一部断面図を示す。
【００２３】
本実施の形態は、図３のように放熱板１２ｂを規則的または不規則的な凹凸状に構成し、モ−タの出力に応じ放熱板１２ｂの大きさを自由に変える。このように、放熱板１２ｂの形状を規則的または不規則的な凹凸状に構成することにより、より放熱効果が向上しモ−タの仕様および形状を変更することなく高出力化が可能となる。
【００２４】
（実施の形態５）
上記実施の形態１、２、３、４のＤＣブラシレスモータは、空気調和機用ファンモータとして使用されるのが好ましい。近年、空気調和機の高性能化が進みモ−タの高出力化が要求される。従って、上記形態１、２、３、４のＤＣブラシレスモータを空気調和機用のファンモータとして使用すると本発明の効果がより顕著に発現する。
【産業上の利用可能性】
【００２５】
以上のように、本発明にかかるＤＣブラシレスモータは、反負荷側のブラケットに高熱伝導率の非鉄系材で構成された放熱板を取付ける構造とし、出力に応じ放熱板の大きさを自由に変えられる構造とすることにより、簡易な構成で安価、かつ冷却性能を向上させることができる。また、放熱板の形状を規則的または、不規則的な凹凸状にすることにより、より放熱効果が向上するため、空気調和機の室外機のモ−タ等の用途に有用である。
【図面の簡単な説明】
【００２６】
【図１】本発明の実施の形態１におけるＤＣブラシレスモ−タの部分断面図
【図２】本発明の実施の形態２におけるＤＣブラシレスモ−タの部分断面図
【図３】本発明の実施の形態４におけるＤＣブラシレスモ−タの部分断面図
【図４】従来のＤＣブラシレスモ−タの部分断面図
【符号の説明】
【００２７】
１  ロ−タ
２  磁石
３  シャフト
４  ベアリングＡ
５  ベアリングＢ
６  ステ−タ完成体
７  駆動ＩＣ
８  プリント基板
９  ブラケットＡ
１０  ブラケットＢ
１１  シリコンＡ
１２  放熱板
１３  シリコンＢ
【図１】
2007006603.tif 000003
【図２】
2007006603.tif 000004
【図３】
2007006603.tif 000005
【図４】
2007006603.tif 000006